(57)【要約】【課題】構造が堅固で引張強度と耐電磁波干渉能力が強いケーブルコネクタ構造の提供。【解決手段】この構造は絶縁体１、フラットケーブル２及び筐体３を備える。絶縁体１は載置台、突合せ部を有し、載置台の縦向きに載置空間が設けられて突合せ部上に延ばされ、載置空間の両側にリミット部が設けられる。フラットケーブル２は端部に電気的接続部２２が設けられ、その両側縁に嵌合部が設けられる。筐体３は絶縁体１の外部を被覆するように形成される。このようにしてフラットケーブル２端部を絶縁体１の載置空間に収納するとともに電気的接続部２２を突合せ部上に設けて、筐体３と絶縁体１との組合せによりフラットケーブル２端部を載置空間内に収め固定する。【選択図】図１
0003173534.tif 000002
【実用新案登録請求の範囲】
【請求項１】
絶縁体、フラットケーブル及び筐体を備え、
前記絶縁体は載置台及び載置台の前端に設けられる突合せ部を有し、当該載置台の縦向きに前記フラットケーブルのための載置空間を設けられて当該載置空間が前記突合せ部上に延ばされ、当該載置空間の両側にリミット部が設けられてなり、
前記フラットケーブルは前記載置空間内に収納可能に設けられ、当該フラットケーブルの端部に電気的接続部を設けられ、当該端部の両側縁に前記リミット部に嵌め合わせるための嵌合部が設けられてなり、
前記筐体は絶縁体の外部を被覆するように設けられて、
前記フラットケーブルの端部が前記絶縁体の載置空間内に収納されるとともに、前記電気的接続部が前記突合せ部上に設けられて、前記筐体と前記絶縁体との組み合わせにより、前記フラットケーブルの端部が前記載置空間内に収め固定される、
ことを特徴とするケーブルコネクタ構造。
【請求項２】
載置台は底板及び底板の両側の平らな台を有してなり、前記底板に幾つかの開口が設けられ、突合せ部は前記底板が延びて形成された突合せ板及び前記平らな台が延びて形成されたガイド柱を有することを特徴とする請求項１に記載のケーブルコネクタ構造。
【請求項３】
突合せ板の縁部に凸縁が設けられることを特徴とする請求項２に記載のケーブルコネクタ構造。
【請求項４】
載置空間内のリミット部は凸部で、フラットケーブルの嵌合部はスロットであることを特徴とする請求項１に記載のケーブルコネクタ構造。
【請求項５】
載置空間のリミット部はスロットで、フラットケーブルの嵌合部は凸部であることを特徴とする請求項１に記載のケーブルコネクタ構造。
【請求項６】
絶縁体上に筐体を合わせるための位置決め溝または／及び位置決めブロックが設けられることを特徴とする請求項１に記載のケーブルコネクタ構造。
【請求項７】
筐体は、一体成形された上筐体及び下筐体を備えてなり、前記上、下筐体の間に絶縁体全体を被覆するための空間を有することを特徴とする請求項１に記載のケーブルコネクタ構造。
【請求項８】
上筐体の前側縁に、下向きに反り返して形成され、フラットケーブル端部の表面に突き当てるための弾力押さえ片を有することを特徴とする請求項７に記載のケーブルコネクタ構造。
【請求項９】
下筐体の前側面に前方に延びる突合せ片が設けられ、下筐体上にばね片と位置決めアームが設けられることを特徴とする請求項７に記載のケーブルコネクタ構造。
【請求項１０】
絶縁体両側の内部に係合具が設けられることを特徴とする請求項１に記載のケーブルコネクタ構造。
【考案の詳細な説明】
【技術分野】
【０００１】
本考案は、ケーブルコネクタ製品に関するもので、特に、構造が堅固で、引張強度と耐電磁波干渉能力が比較的強いケーブルコネクタ構造に関する。
【背景技術】
【０００２】
液晶ディスプレイのドライブボードから出力されたデジタル信号は、ＲＧＢデータ信号のほかに、水平同期信号、垂直同期信号、ピクセルクロックなどの信号が含まれ、そのうち、ピクセルクロック信号は、ピクセルクロックの周波数が最大２８ＭＨｚ以上であり、ＴＴＬインターフェース使用の場合、データの伝送速度が遅く、伝送距離も比較的短く、そして耐電磁波干渉（ＥＭＩ）能力も悪いので、ＲＧＢデータにマイナスな影響を及ぼすこと、また、ＴＴＬ多チャンネルデータの信号は、フラットケーブルで伝送されることから、フラットケーブル数は全部で何十チャンネルもあり、接続不便であると同時に、超薄型化の傾向に一致しないということで、現在の液晶ディスプレイは大抵、ケーブルコネクタＬＶＤＳ出力インターフェースでデータ伝送することとなる。ＬＶＤＳ（Ｌｏｗ−Ｖｏｌｔａｇｅ  Ｄｉｆｆｅｒｅｎｔｉａｌ  Ｓｉｇｎａｌｉｎｇ  低電圧差動信号）は、アメリカのある半導体会社が提案した信号伝送モードで、標準レベルの一つであり、液晶ディスプレイインターフェースに広く使用され、ＬＶＤＳコネクタの使用により、データ伝送が高速度、低ノイズ、遠距離、高正確度で行われる。
【０００３】
従来のＬＶＤＳコネクタは一般的に、絶縁体、柔軟なフラットケーブル及び金属筐体を備えてなる。絶縁体は柔軟なフラットケーブルを収納するための開口が設けられ、組み立てのときに、柔軟なフラットケーブルが絶縁体の後方から開口に挿入され、これが絶縁体内の型締装置でしっかりと締められるようになっている。金属筐体は絶縁体を被覆するように設けられ、電磁波障害防止効果を有している。
【考案の概要】
【考案が解決しようとする課題】
【０００４】
しかしながら、従来のＬＶＤＳコネクタ構造には、次のように不十分な点が存在する。
（１）フラットケーブルを絶縁体後方から開口に挿入し、絶縁体にある型締め装置で、フラットケーブルをしっかりと締めるようにしているが、フラットケーブルの引張強度が足りず、外力を受けると、フラットケーブルが容易に絶縁体の開口から抜けてしまう。その不十分な点を解決するため、製造側では、製造過程で、フラットケーブルと絶縁体が係合するところを結束テープで括り、両者の安定性を強め、フラットケーブルの引張強度を高めるようにしているが、そうすると、製品全体の見栄えが悪く、厚みが増え、液晶ディスプレイの超薄型化向けの発展に不利である。
（２）従来の金属筐体は半被覆構造であるため、電磁波障害防止効果が悪い。
【０００５】
そこで、このような問題点に対して技術改善案が例えば中国特許番号ＺＬ２００７２０１２９５６５．５により提案されている。そして、この出願公開された実用新案の明細書には、金属筐体は、上、下金属筐体を組み立ててなり、下金属筐体は絶縁体に、上金属筐体はそれに対応するために、絶縁体のフラットケーブルの載置台に設けられ、上、下金属筐体の組み合わせにより、柔軟なフラットケーブルと台座が保持、固定されることが記載されている。この技術案では、従来の構造に比べて、進歩性があるものの、フラットケーブルの引張強度の不十分さを完全に改善できないという問題点が残されている。
【０００６】
本考案は、このような従来の技術の不十分な点を改善するもので、構造が堅固で、引張強度と耐電磁波干渉能力が比較的強いケーブルコネクタ構造を提供する、ことを目的とする。
【課題を解決するための手段】
【０００７】
上記の目的を達成するために、本考案は、次のような技術的特徴を備えるケーブルコネクタ構造を提供する。
（１）載置台、載置台前端の突合せ部を備えてなる絶縁体が備わり、該載置台の縦向きに載置空間が設けられ、該載置空間は突合せ部の上に伸ばされるように設けられ、該載置空間内にリミット部が設けられており、載置空間内に設けられるフラットケーブルが備わり、該載置空間の端部の表面に電気的接続部が設けられ、該電気的接続部は該突合せ部の上に設けられ、フラットケーブルの両側縁には、該リミット部相に合わせるための嵌合部が設けられており、絶縁体の外部を被覆するように設けられる筐体が備わり、筐体と絶縁体の組み合わせにより、フラットケーブルの端部がしっかりと該載置空間内に収められるように設けられていることを特徴とするケーブルコネクタ構造。
（２）該載置台は、底板と底板両側の平らな台を備えてなり、底板には、幾つかの開口が設けられ、該突合せ部は、該底板が伸びて形成された突合せ板、平らな台が伸びて形成されたガイド柱が設けられていることを特徴とする上記（１）に記載の該ケーブルコネクタ構造。
（３）該突合せ板縁には、凸縁が設けられていることを特徴とする上記（２）に記載の該ケーブルコネクタ構造。
（４）該載置空間内のリミット部は嵌合凸部で、フラットケーブル端部両側の嵌合部はスロットであることを特徴とする上記（１）に記載の該ケーブルコネクタ構造。
（５）該載置空間内のリミット部はスロットで、フラットケーブル端部両側の嵌合部は嵌合凸部であることを特徴とする上記（１）に記載の該ケーブルコネクタ構造。
（６）該絶縁体の上には、筐体に合わせるための位置決め溝または／及び位置決めブロックが設けられていることを特徴とする上記（１）に記載の該ケーブルコネクタ構造。
（７）該筐体は、一体成形された上筐体、下筐体、及び上、下筐体の間が、絶縁体全体を被覆するキャビネットを備えてなることを特徴とする上記（１）に記載の該ケーブルコネクタ構造。
（８）該上筐体の前側縁には、下向きに反り返して弾力押さえ片が形成され、該弾力押さえ片は、フラットケーブル端部の表面に突き当てるように設けられていることを特徴とする上記（７）に記載の該ケーブルコネクタ構造。
（９）該下筐体の前側面には、前へ伸びて突合せ片が形成され、下筐体の上には、ばね片と位置決めアームが設けられていることを特徴とする上記（７）に記載の該ケーブルコネクタ構造。
（１０）該絶縁体両側の内部には、係合具が設けられていることを特徴とする上記（１）に記載の該ケーブルコネクタ構造。
【考案の効果】
【０００８】
本考案のケーブルコネクタ構造によれば、上記の構成により、次のような効果を奏する。
（１）このケーブルコネクタ構造は、構造が堅固で、フラットケーブルと絶縁体を上下重ねて組み立てるが、通常利用する両面テープで粘着してもよく、そして絶縁体とフラットケーブルの上には、それぞれ対応の嵌合凸部とスロットが設けられ、この嵌合により、フラットケーブル端部がしっかりと絶縁体の載置空間内に収められ、フラットケーブルが外部からの引っ張り力などを受けて、抜けたりすることを防げると同時に、本考案の金属筐体がフラットケーブルを押さえるように設けられることにより、フラットケーブルの緩みや上に反ることを防げる。
（２）特に、金属筐体は、一体成形されたもので、絶縁体の載置台と載置台内にあるフラットケーブルを完全に被覆し、コンセントに合わせて、電気的接続が行われるフラットケーブルの電気的接続部は、絶縁体の突合せ部に設けられることにより、耐電磁波干渉能力が大幅に高まる。
【図面の簡単な説明】
【０００９】
【図１】本考案の一実施の形態によるケーブルコネクタ構造を示す斜視図
【図２】同ケーブルコネクタ構造の特に？縁体を示す斜視図
【図３】同ケーブルコネクタ構造の特にフラットケーブルを示す一部省略平面図
【図４】同ケーブルコネクタ構造の特に？縁体とフラットケーブルとの組み立て状態を示す一部省略平面図
【図５】同ケーブルコネクタ構造の特に筐体を示す斜視図
【図６】同ケーブルコネクタ構造の特に筐体を別の角度から示す斜視図
【図７】同ケーブルコネクタ構造の特に筐体をまた別の角度から示す斜視図
【図８】同ケーブルコネクタ構造と差込口の組み合わせを示す斜視図
【考案を実施するための形態】
【００１０】
以下、本考案の一実施の形態について図１乃至図８を用いて説明する。
図１に示すように、このＬＶＤＳケーブルコネクタ構造は、絶縁体１、フラットケーブル２及び金属筐体３を備えてなり、フラットケーブル２の端部が、絶縁体１に設けられる。
【００１１】
図２に示すように、絶縁体１は、載置台１１、載置台１１前端の突合せ部１２を備えてなる。載置台１１の縦向きに載置空間１０が設けられ、この載置空間１０は突合せ部１２の上に延ばされる。また、この載置空間１０内の両側にはリミット部が設けられる。この載置空間１０はフラットケーブル２の端部を収納するために設けられ、その形状はフラットケーブル２端部の形状に対応するように形成される。
【００１２】
載置台１１はフラットケーブル２の端部を載置するために、突合せ部１２は、このケーブルコネクタに対応するコンセント５に合わせるために設けられる。具体的に言えば、載置台１１は、底板１１１、底板１１１両側の平らな台１１２を備えてなり、底板１１１には、幾つかの開口１５が設けられる。突合せ部１２は、底板１１１から延びて形成された突合せ板１２１、平らな台１１２から延びて形成されたガイド柱１２２を備えてなり、ガイド柱１２１は、このケーブルコネクタを対応するコンセント差込口５１へ挿入させるように導くために設けられる。
【００１３】
突合せ部１２の底板縁部には、凸縁１３が設けられ、凸縁１３の高さは、フラットケーブル２の厚みに相当するものである。
載置空間１０内にある平らな台１１２には、リミット部になる嵌合凸部１４が設けられ、この場合、嵌合凸部１４は突出する突出台である。嵌合凸部１４の前にあるガイド柱１２１は、対応の差込口５１に挿入され、嵌合凸部１４の後にある平らな台１１２は、金属筐体１１に被覆されるように設けられる。
【００１４】
図３に示すように、フラットケーブル２の端部には、電気的接続部２２が設けられ、電気的接続部２２は差込口５１内の電気通信端子５２と接触し、差込口内の電気通信端子５２とフラットケーブル２が電気的に接続されることになる。このフラットケーブル２の端部には、リミット部に合わせるための嵌合部が設けられる。具体的に言えば、図３、図４に示すように、フラットケーブル２端部の両側には、嵌合部になるスロット２１が設けられ、スロット２１は、電気的接続部２２に近いフラットケーブル２端部の両側に設けられ、このスロット２１と嵌合凸部１４との嵌合により、フラットケーブル２に対する位置決めになる。なお、これとは反対に、載置空間１０内のリミット部はスロットとして、フラットケーブル２の嵌合部は嵌合凸部として設けられてもよい。
【００１５】
図１に示すように、筐体３は、絶縁体１の外部を被覆するように形成され、筐体３と絶縁体１の組み合わせにより、フラットケーブル２の端部がしっかりと載置空間１０内に収められるようになっている。絶縁体１の両側内には、係合具４が設けられる。
【００１６】
図５〜図７に示すように、筐体３は、一体成形された上筐体３１と下筐体３２とを備えてなり、上、下筐体３１，３２の間に、絶縁体１全体を被覆する空間が形成される。上筐体３１の前側縁には、弾力押さえ片３１１が下向きに反り返して形成される。この弾力押さえ片３１１は柔軟で、フラットケーブル２端部の表面に突き当たるように設けられ、また、上筐体３１の表面には、ばね片３１２が設けられる。下筐体３２の前側面には、前へ延びる突合せ片３２１が形成され、また、下筐体３２上には、ばね片３２２と位置決めアーム３２３が設けられる。
【００１７】
なお、筐体３は一体成形されたもので、上筐体３１の弾力押さえ片３１１は、フラットケーブル２に突き当たるように設けられて、これにより、圧力の安定性が高められており、また、筐体３１の強度を確保するため、上筐体３１の表面に幾つかのリブ３１３が設けられる。
【００１８】
図２に示すように、絶縁体１の平らな台１１２の上には筐体３のばね片３１２に対応する位置決め溝１６が設けられ、絶縁体１の下表面には筐体３のばね片３１２に対応するための位置決め溝が設けられ、絶縁体１と筐体３のばね片、及び位置決め溝との組み合わせにより、絶縁体１と筐体３がしっかりと組み立てられるようになっている。なお、この実施例では、位置決め溝とばね片だけの組み合わせについて述べたが、位置決めブロックと嵌合孔との組み合わせによって実施してもよいことはもちろんである。原理は同じなので、ここではそれ以上述べないことにする。
【００１９】
このＬＶＤＳケーブルコネクタを組み立てるときは、絶縁体１とフラットケーブル２を上下に重ねて組み立てるが、フラットケーブル２を上から下へと、絶縁体１の載置空間１０内に直接に収め、絶縁体１のリミット部とフラットケーブル２端部の嵌合部を嵌合して、嵌合凸部１４とスロット２１を固定する。次いで、筐体３を絶縁体１の外部に被覆し、上、下筐体３１，３２にあるばね片３１２，３２２を絶縁体１の位置決め溝に嵌め入れ、下筐体３２内の突合せ片３２１を絶縁体１の下表面に載置し、下筐体３２にある位置決めアーム３２３を絶縁体１に開設された開口１５に通し、フラットケーブル２の背面に接触させる。そして、上筐体３１にある弾力押さえ片３１１をフラットケーブル２の正面に突き当てるようにし、それにより、フラットケーブル２を絶縁体１と金属筐体３の間に固定する。このようにして絶縁体１両側内に取り付けられた係合具４のフック４１が、絶縁体１の平らな台１１２の外に露出される。
【００２０】
このような組み立てにより、筐体３が絶縁体１を局所的に被覆し、フラットケーブル２端部の電気的接続部２２や絶縁体１の突合せ部１２が外部に露出される。図８に示すように、ケーブルコネクタとこれに対応するコンセント５を組み立てるとき、フラットケーブル２端部の電気的接続部２２と突合せ部１２を挿入部として、対応するコンセント５の差込口５１内に挿入することにより、フラットケーブル２の電気的接続部２２と差込口５１内の電気通信端子５２との電気的接続が行われ、挿入接続組立が完了する。
【００２１】
このケーブルコネクタの組み立てを行う場合、フラットケーブル２と絶縁体１の間を通常利用する両面テープで粘着してもよく、それにより、両者の安定性が高められ、フラットケーブル２を直接に上下からクランプして絶縁体１に固定する代わりに、フラットケーブル２と絶縁体１間の嵌合により、フラットケーブル２に対する位置決めを行うと同時に、金属筐体３の挟込みによる力で、フラットケーブル２をしっかりと固定するようにするため、優れた引張強度が得られる。
【００２２】
なお、上述したのは、本考案の好適な実施例に関する説明のみであり、それを以って、本考案の実用新案登録請求の範囲が制限されるものではなく、本考案の実用新案登録請求の範囲に述べられた構造、特徴と原理に基づいて、その改造や変更などを行って、それと同等な効果を得たとしても、それらの改造や変更などはすべて、本考案の実用新案登録請求の範囲に含まれるものである。
【符号の説明】
【００２３】
１  絶縁体
１０  載置空間
１１  載置台
１２  突合せ部
１１１  底板
１１２  平らな台
１２１  突合せ板
１２２  ガイド柱
１３  凸縁
１４  嵌合凸部
１５  開口
１６  位置決め溝
２  フラットケーブル
２１  スロット
２２  電気的接続部
３  筐体
３１  上筐体
３１１  弾力押さえ片
３１２  ばね片
３１３  リブ
３２  下筐体
３２１  突合せ片
３２２  ばね片
３２３  位置決めアーム
４  係合具
４１  フック
５  コンセント
５１  差込口
５２  電気通信端子
【図１】
0003173534.tif 000003
【図２】
0003173534.tif 000004
【図３】
0003173534.tif 000005
【図４】
0003173534.tif 000006
【図５】
0003173534.tif 000007
【図６】
0003173534.tif 000008
【図７】
0003173534.tif 000009
【図８】
0003173534.tif 000010